(57)【要約】ビルディングモジュールは、開端ボックス構造を有し、相互連結される同軸状の複数のモジュールセグメント（１６，１９）を備える。各セグメントは、複合材料から開端ボックス構造として成形される。セグメントは、細長いタイバー（４０）により互いに保持される。タイバーは、リフティングフレームの一部を形成し、モジュールの略長手方向に沿って伸張する。リフティングフレームはエンドフレーム（４２）を備える。各エンドフレームは、モジュールのエンドセグメントに埋め込まれるとともに、タイバー（４０）により互いに連結される。
2004507633.tif 000002
【特許請求の範囲】
【請求項１】
頂壁、底壁、および対向する側壁を有する開端ボックス構造を有するビルディングモジュールであって、
相互連結される同軸状の複数のモジュールセグメントを備え、
各セグメントは、複合材料から開端ボックス構造として成形され、
セグメントの少なくとも一つは、対向する側壁間にわたって伸びる補強梁を有することを特徴とするビルディングモジュール。
【請求項２】
梁は、頂壁または底壁のいずれかに連結されることを特徴とする請求項１のビルディングモジュール。
【請求項３】
補強梁は、底壁に連結され、床構造を支持することを特徴とする請求項２のビルディングモジュール。
【請求項４】
頂壁に連結され、天井構造を支持する補強梁が設けられることを特徴とする請求項３の２のビルディングモジュール。
【請求項５】
梁は、セグメントと一体成形されることを特徴とする請求項１〜４のいずれかに記載のビルディングモジュール。
【請求項６】
各セグメントの梁は、モジュール床の下方あるいはモジュール天井板の上方でサービス用導管を通すためのポートを有することを特徴とする請求項４または５のビルディングモジュール。
【請求項７】
セグメントの少なくとも一つは、モジュールを持上げるための一体フレームを有することを特徴とする請求項１のビルディングモジュール。
【請求項８】
上記少なくとも一つのセグメントは、フレームの周囲に成形されることを特徴とする請求項７のビルディングモジュール。
【請求項９】
セグメントの少なくとも二つは、リフティングフレームを有し、フレーム同士は、複数の細長い支持部材により相互連結されることを特徴とする請求項７または８のビルディングモジュール。
【請求項１０】
細長支持部材は、リフティングフレームの一部を介してセグメントに連結されることを特徴とする請求項９のビルディングモジュール。
【請求項１１】
上記細長支持部材の少なくともいくつかは、モジュールの天井板の上方に配置されることを特徴とする請求項９または１０のビルディングモジュール。
【請求項１２】
上記細長支持部材の少なくともいくつかは、モジュールの床の下方に配置されることを特徴とする請求項９，１０または１１のいずれか一つに記載のビルディングモジュール。
【請求項１３】
モジュールのエンドセグメントは、一体リフティングフレームを有することを特徴とする請求項７〜１１のいずれか一つに記載のビルディングモジュール。
【請求項１４】
中央モジュールセグメントは、一体フレームを有することを特徴とする請求項１３のビルディングモジュール。
【請求項１５】
フレームは、互いに間隔をあけて略鉛直方向に伸びた一対の柱を備え、これら柱は、上部および下部横部材により相互連結されることを特徴とする請求項１〜１４のいずれか一つに記載のビルディングモジュール。
【請求項１６】
柱は、コーナープレート部材により、横部材に連結されることを特徴とする請求項１５のビルディングモジュール。
【請求項１７】
コーナープレート部材は、互いに略直交するように配置された第１および第２のコネクタ部分を備えることを特徴とする請求項１６のビルディングモジュール。
【請求項１８】
第１および第２のコネクタ部分は、柱の一部を収容する中間弓型部分により連結されることを特徴とする請求項１７のビルディングモジュール。
【請求項１９】
柱は、地面に対するモジュールの高さを変更するための調整可能な脚部を有することを特徴とする請求項１５〜１８のいずれか一つに記載のビルディングモジュール。
【請求項２０】
柱の上端は、モジュールを持上げるためのリフティングアタッチメントと嵌合することを特徴とする請求項１５〜１９のいずれか一つに記載のビルディングモジュール。
【請求項２１】
柱の上端は、鉛直方向に隣接するモジュールを相互連結するモジュール間コネクタと嵌合することを特徴とする請求項１５〜１９のいずれか一つに記載のビルディングモジュール。
【請求項２２】
モジュールの側壁の少なくとも一つは、サービス用導管を通すためのポートを有することを特徴とする請求項１〜２１のいずれか一つに記載のビルディングモジュール。
【請求項２３】
ポートは、モジュールの長手方向に規則的な間隔で配置されることを特徴とする請求項２２のビルディングモジュール。
【請求項２４】
セグメントが単一構造であることを特徴とする請求項１〜２３のいずれか一つに記載のビルディングモジュール。
【請求項２５】
モジュールの側壁および／または端壁は、弾性フレキシブル材料を収容するための少なくとも一つの溝を有することを特徴とする請求項１〜２４のいずれか一つに記載のビルディングモジュール。
【請求項２６】
セグメントの少なくとも一つは、壁の少なくとも一つ内に配置された補強メッシュ材料を有することを特徴とする請求項１〜２５のいずれか一つに記載のビルディングモジュール。
【請求項２７】
セグメント同士が接合されることを特徴とする請求項１〜２６のいずれか一つに記載のビルディングモジュール。
【請求項２８】
セグメント同士がさねはぎ継ぎで互いに連結されることを特徴とする請求項１〜２７のいずれか一つに記載のビルディングモジュール。
【請求項２９】
セグメントの少なくとも一つは、モジュールの端部で、端壁と嵌合することを特徴とする請求項１〜２８のいずれか一つに記載のビルディングモジュール。
【請求項３０】
少なくとも一つのセグメントの少なくとも一つの側壁は、サービス用の内部導管を有することを特徴とする請求項１〜２９のいずれか一つに記載のビルディングモジュール。
【請求項３１】
上記内部導管は、セグメントの成形中に形成されることを特徴とする請求項３０のビルディングモジュール。
【請求項３２】
請求項１〜３１のいずれか一つに記載の複数のビルディングモジュールを相互連結したビルディング構造体。
【請求項３３】
相互連結した開端ボックス構造を有する複数のビルディングモジュールを有し、少なくとも２つのモジュールの隣接する壁の間に弾性変形可能な材料を挟み込むことを特徴とするビルディング構造体。
【請求項３４】
少なくとも一つのモジュールの壁は、ストリップ状の上記材料を収容するための溝を有することを特徴とする請求項３３のビルディング構造体。
【発明の詳細な説明】
【０００１】
本発明はモジュラビルディングに関する。
【０００２】
複数のプレハブ・携帯式モジュラユニットを完全なビルディング構造体に組み立てるモジュラビルディング構造は周知である。そのような構造は、典型的に、緊急あるいは一時的に収容設備が必要とされ、例えば自然災害や他の災害の際の緊急の可住構造体に対する要望にかなうよう、素早く且つ容易に組み立てる必要がある。加えて、このようなビルディングは、建設工事期間に一時的な収容設備が必要となる建設業界で雇用される、遠隔地で働く労働者に必要となることが多い。
【０００３】
居住用および商業用両方の建設分野で利用できる多目的モジュラビルディングが必要となっている。現在のところ、携帯・プレハブ式のビルディングデザインとして、両分野に適用可能なものはない。モジュラビルディングの利点は、組立、解体、移転が容易で且つ素早く、すぐに輸送可能で、大きさの変更や他の要求に合わせて再構成可能という点でフレキシブルであることである。残念ながら、そのようなビルディングの既存のデザインは、通常、一時的な性質のもので、長期間あるいは永久的な利用には適していない。
【０００４】
既存のモジュラビルディングは、いくつかの不都合な点、ビルディング構造に摩損を引き起こし、しばしば漏れ、軋みや構造的損傷に到るラッキング；結露（ｃｏｎｄｅｎｓａｔｉｏｎ）；内部温度の制御が不十分；防音が効果的でないこと；および、（特に、建設現場のような環境において）多量の埃や塵が進入すること；を有している。
【０００５】
上述の不都合を回避したり軽減するモジュラビルディング構造体が、本出願人によるＰＣＴ特許出願第ＷＯ　００／０１８９８号に記載されている。該文献に記載のモジュラビルディング構造体は、オフィスや収容設備を形成する個々の収容モジュールが連結された廊下モジュールを備えている。廊下の床および天井は、収容モジュールに対するメインサービス設備を備えている。この構造は、モジュラ構造体の利点を維持しつつ、寿命を向上させるものである。
【０００６】
本発明の目的は、本出願人による上述のＰＣＴ出願に記載のデザインをさらに改良させたモジュラビルディング構造体を提供することである。
【０００７】
本発明の第１の態様は、
頂壁、底壁、および対向する側壁を有する開端ボックス構造を有するビルディングモジュールであって、
相互連結される同軸状の複数のモジュールセグメントを備え、
各セグメントは、複合材料から開端ボックス構造として成形され、
セグメントの少なくとも一つは、対向する側壁間にわたって伸びる補強梁を有することを特徴とする。
【０００８】
本発明のセグメント化されたビルディングモジュールは、セグメントの数を適当に選択することでモジュールの長さを変更できる、柔軟性に富んだ構成を提供する。一つまたはそれ以上のセグメントの複合材料を、リフティングフレームの周囲に成形することで、モジュールはコンパクトであるが輸送が容易である。開端ボックス構造は、高価な上部構造や基礎を必要とすることなく、ラッキングに対し耐性のある非常に頑丈な構成を提供する。種々の幅の型枠を製造できる。
【０００９】
梁は、ラッキングや他の類似の移動を中和するための余分の強度を与えるとともに、床または天井構造を取り付けることのできる適切且つコンパクトな構造を提供する。好適には、梁は頂壁または底壁の一方に連結される。
【００１０】
補強梁は、底壁に連結され、床構造を支持するようにしてもよい。加えて、あるいは代わりに、補強梁は、頂壁に連結され、天井構造を支持するようにしてもよい。梁は、セグメントと一体成形されるようにしてもよい。
【００１１】
好適には、各セグメントの梁は、モジュール床の下方あるいはモジュール天井板の上方でサービス用導管を通すためのポートを有する。したがって、配水管や排水管および電気ケーブルなどのサービス用導管は、床や天井板を介してモジュール内の機器に供給されるまでにおいて、床下や天井に容易に配設できる。
【００１２】
セグメントの少なくとも一つは、輸送やビルディング構造体への組み立て用に、モジュールを持上げるための一体リフティングフレームを有してもよい。
【００１３】
好適な実施形態では、セグメントの少なくとも二つは、リフティングフレームを有し、フレーム同士は、複数の細長い支持部材により相互連結される。
【００１４】
細長支持部材は、リフティングフレームの一部を介してセグメントに連結されるようにしてもよい。
【００１５】
上記細長支持部材の少なくともいくつかは、モジュールの天井板の上方に配置されてもよい。加えて、あるいは代わりに、上記細長支持部材の少なくともいくつかは、モジュールの床の下方に配置されてもよい。いずれの場合も、支持部材は、好適にはセグメントのコーナーに設けたアパチャ、理想的には梁に設けたアパチャを貫通する。
【００１６】
好適な実施形態では、モジュールのエンドセグメントは、一体フレームを有し、中央モジュールセグメントは、一体フレームを有する。
【００１７】
フレームは、互いに間隔をあけて略鉛直方向に伸びた一対の柱を備え、これら柱は、上部および下部横部材により相互連結されるようにしてもよい。柱は、コーナープレート部材により、横部材に連結されるようにしてもよい。
【００１８】
好適には、コーナープレート部材は、互いに略直交するように配置された第１および第２のコネクタ部分を備える。さらに、第１および第２のコネクタ部分は、柱の一部を収容する中間弓型部分により連結されるようにしてもよい。
【００１９】
コーナープレートは、細長支持部材に連結されるようにしてもよい。
【００２０】
理想的には、柱は、地面に対するモジュールの高さを変更するための調整可能な脚部を有する。
【００２１】
柱の上端は、モジュールを持上げるためのリフティングアタッチメントと嵌合するようにしてもよい。代わりに、柱の上端は、鉛直方向に隣接するモジュールを相互連結するモジュール間コネクタと嵌合するようにしてもよい。
【００２２】
モジュールの側壁および端壁の外側は、弾性フレキシブル材料を収容するための少なくとも一つの溝を有してもよい。
【００２３】
好適には、複合材料は、ミネラルフィラーを含有する水膨潤性ポリエステル樹脂である。
【００２４】
セグメントの少なくとも一つは、補強メッシュ材料が内部に設けられた上壁を有してもよい。
【００２５】
セグメント同士がさねはぎ継ぎで互いに連結されるようにしてもよい。しかしながら、他のジョイントを用いてもよい。
【００２６】
モジュールの側壁は、サービス用導管を通すためのポートを有してもよい。これらポートにより、サービス用導管は、モジュールから横方向に出て隣接するモジュールに、あるいはその他の場所、好適には天井板の上方や床の下方に到達するのが可能となる。セグメントは、好適には単一構造であるが、一つまたはそれ以上の連結パーツから形成してもよい。
【００２７】
本発明に係る第２の態様は、上述した複数のビルディングモジュールを相互連結したビルディング構造体である。
【００２８】
本発明に係る第３の態様は、相互連結した開端ボックス構造を有する複数のビルディングモジュールを有し、少なくとも２つのモジュールの隣接する壁の間に弾性変形可能な材料を挟み込むことを特徴とするビルディング構造体である。
【００２９】
以下、添付図面を参照して、単に例示として示す本発明の具体的な実施形態を説明する。
【００３０】
本発明に係るモジュラビルディング構造体の実施例を図１に示す。この構造体は、モータウェイホテルすなわちモーテル形状で、鉛直方向および水平方向に沿って配置された、プレハブ式・嵌め込み式（ｐｒｅ−ｆｉｔｔｅｄ）・自己支持型の複数のビルディングモジュールを備える。ビルディングモジュールは、複数の廊下１０に分けられ、各廊下には、ホテルの部屋を形成する複数の収容モジュールが連結されている。廊下１０は、収容モジュール１１間の通路を提供するとともに、収容モジュール１１へのサービス供給ラインを保持・分配するための通路を形成する。図のビルディングは、階段吹き抜け１１ａで互いに連結された複数の階を有する。
【００３１】
図２は、図１の構造体の一部を示すもので、２階分の収容モジュール１１と、鉛直方向に配置された一対の廊下モジュール１０との連結状態を概略的に示している。各収容および廊下モジュールは、後述するように同一の基本構成を有し、内側に床１２と天井１３を取り付けた一端が開放したボックス形状を有している。収容モジュール１１の隣接収容モジュール１１および隣接廊下モジュール１０に対する連結に関しては、後で詳述する。廊下１０の両側壁には間隔をあけてドア用開口部１４が設けてあり、これにより隣接する収容モジュール１１にアクセスできるようにしてある。
【００３２】
ビルディングモジュール１０，１１はそれぞれ、開端ボックス形状の同軸状の複数のセグメント１５から構成されており、図３（明確さのため、セグメントを互いに僅かに分離して示してある。）に概略構成が示されている。各セグメントは、単一の矩形フレーム形状となっており、フレームは、英国特許第２３０６４９５Ｂ号に記載の、例えば水膨潤性（ｗａｔｅｒ−ｅｘｔｅｎｄｅｄ）ポリエステル樹脂、水、およびミネラルフィラーの複合材料で成形される。これは、未加工の状態で断熱材であり、モジュールが僅かに曲がって衝撃を吸収する弾性特性を有するため、特に適した材料である。しかしながら、コンクリート、セメント、セラミックや他の適当なシンタクチック複合材料など、他の複合材料を用いてもよい。セグメントフレームは、適当であれば、相互連結される個々の成形パーツに分けることができるようにしてもよい。セグメント同士の連結については以下で述べる。
【００３３】
図４〜６に示す実施例において、各モジュールは、前端鼻隠セグメント１６、後端鼻隠セグメント１７、中央支持セグメント１８、および複数の中間セグメント１９を備える。正確な構成は、モジュールの使用意図に応じて変更してもよい。例えば、中間セグメント１９の数は、必要なモジュール長さに応じて増減してもよいし、短いモジュールでは、中央支持セグメント１８を省略してもよい。セグメント１６〜１９は、さねはぎ連結２０により互いに係合するとともに、適当な接着剤で互いに接合されている。
【００３４】
（図７，８に詳細に示す）各中間セグメント１９は、上壁２１、下壁２２および側壁２３を備える。側壁２３の厚みに比べて、上壁２１および下壁２２は比較的薄く、成形材料に埋め込んだワイヤメッシュ（図示せず）状の補強材を備えていてもよい。各セグメント１９の前端部には、上壁２１と下壁２２に一体的に連結された梁２４が設けてある。梁２４は、モジュールセグメントにさらに剛性を与えるとともに、床１２および天井１３を支持する。各梁２４は、鉛直セクション２５と、上壁２１および下壁２２に平行に配置された末端水平セクション２６とを有する。各側壁２３は、その上端および下端に、サービス用導管（図示せず）を収容するためのポート２７を有する。梁２４の鉛直部分２５は、同じ理由で、中央ポート２８および２つの側方ポート２９を有する。後述するタイバーを収容するために、梁２４の角部の近くには小さなアパチャ３０が設けてある。
【００３５】
残りのセグメントは、中間セグメントと大体同じ構成を有する。中間セグメントと異なる特徴については以下で説明する。
【００３６】
前端鼻隠セグメント１６（図９，１０）は、床および天井を支持する梁３１が鉛直方向にのみ延設されている点で、中間セグメント１９と異なる。梁３１は、下壁２２および上壁２１にそれぞれ一体的に連結されている。各梁３１は、（後述するように、モジュール間の固定具用の）より小さな２つのポート３３で挟まれた大きな中央ポート３２と、上述したような２つの小さなタイバー用アパチャ３０とを有する。側壁２３は、２つの小アパチャ３４を有し、各々上壁２１、下壁２２の一方に隣接している。
【００３７】
後端鼻隠セグメント１７（図５，６）は、その後端部において、（ポート構成を含めて）前端鼻隠と同一構成の第１の鉛直上梁および下梁３５と、その後端部において、中間セグメント１９上の対応する梁２４と同一の第２の上梁および下梁３６とを有する。セグメント１７は、（図４，５に示す）端壁フレーム３７に嵌合する。フレーム３７は、セグメントの後端部の開口部を部分的に閉鎖するとともに、第１の鉛直梁３５の対向する内縁３８に固定される。後端鼻隠用の梁３５は、別個に成形して、セグメントの壁に接合するようにしてもよい。
【００３８】
中央支持セグメント１８は、前端鼻隠セグメント１６と実質的に同一の構成で、前端および後端鼻隠セグメント１６，１７の鉛直梁に対応する鉛直梁３９のみ有する。
【００３９】
各セグメントの側壁は、内側を鉛直方向に伸びる、成形プロセスで形成した導管を有していてもよい。これらは典型的に、電気ケーブルを収容するのに用いられる。導管は、床下から天井板の上側まで延設される。
【００４０】
さらに、モジュール内の適当な空所を用いて、ドアまたは窓用として側壁に開口部を形成してもよい。
【００４１】
各ビルディングモジュールのセグメント１５は、図４，５に示すように、各セグメント１６〜１９の上記コーナアパチャ３０を通過する、長手方向に平行に伸びた４つのタイバー４０により保持される。タイバー４０は、ボックス形状のリフティングフレーム４１（詳細は、ビルディングモジュールから分けた状態で図１１に示されている。）の一部を形成し、各端部で、リフティングフレーム４１のエンドフレーム４２に対し、セグメント同士が締め付けられるよう螺子付きナット４３を介して固定される。各エンドフレーム４２は、成形プロセスにおいて、前端および後端鼻隠セグメント１６，１７に埋め込まれ、モジュールの幅程度に水平方向に間隔をあけた、２つの鉛直柱４４を備える。柱４４は、下端部でスリーブ４５に収容され、上部および下部水平バー４６，４７を介して互いに連結されている。上部および下部水平バー４６，４７は、各端部で、エンドフレーム４２のコーナ部材４８に連結されている。各コーナ部材４８は、弓型部分５１で一体的に連結された第１および第２の垂直コネクタ部分４９，５０を有する、略直角のプレートを備える。弓型部分５１は、柱４４あるいはスリーブ４５を収容する。コーナ部材４８の第１のコネクタ部分４９は、水平バー４６，４７と平行に伸張し、４つのボルト５２でこれらバーに連結されている。第２のコネクタ部分５０は、タイバー４０の長軸と平行に伸張し、端部鼻隠セグメント１６または１７の側壁２３のポート３４と整合する１つのアパチャ５３（図１２に図示）を有する。各水平バー４６は、より小さな２つのポート５５で挟まれた中央ポート５４を有する。２つのポート５５は、コーナ部材４８の第１のコネクタ部分４９を貫通する。
【００４２】
前端および後端セグメント１６，１７は、図１２，１３，１４に示すように、リフティングフレームのエンドフレーム４２部材の周囲に成形される。モジュールが中央支持セグメント１８を必要とするような長さを有する用途では、図に示すように、エンドフレーム４２と同一の構成を有する中央フレーム５６がさらに必要となる。
【００４３】
エンドフレーム４２の各柱４４は、リフティング用滑車装置（図示せず）と連結するために、鉛直方向に間隔をあけてスピゴット５７を有する。柱はまた、鉛直方向に間隔をあけて、クラッディング支持部材と嵌合してもよい。クラッディング支持部材は、成形セグメントの外面に突出するとともに、クラッディングをモジュール表面に固定する固定具を収容するための露出したソケットを有する。
【００４４】
次に図１５，１７ａを参照して、スリーブ４５は、柱４４の螺子付き端部５９を収容する螺子付きカラー５８と、円筒ハウジング部分６０とを備える。カラー５８とハウジング６０とは、垂直連結部分４９，５０を相互連結するコーナ部材４８の弓型部分５１内で、鉛直方向に間隔をあけて配置される。ハウジング６０は支持脚部６１を収容する。脚部６１は、ディスク状の台６２と螺子付き直立ステム６３とを有する。ステム６３は、カラー５８とハウジング６０との間のスペースに配置された、内側に螺子を切った脚部ホルダ６４に収容される。脚部６１は、モジュールの底部から伸張し、脚部ホルダ６４との螺合により、高さの調整が可能である。
【００４５】
各柱４４の上端はキャップ６５で閉鎖されている。キャップ６５は、図１６ａ，１６ｂに示すように、固定具を収容するための螺子付き中央アパチャ６６を有する。図１６ａに示す固定具は、キャップアパチャ６６に螺合し且つリフティング用滑車装置を連結するための受孔を備えたアイボルト６７である。アイボルト６７の代わりに、図１６ｂに示すハーフグロメット固定具などのモジュール間コネクタ６８を用いてもよい。このようなコネクタは、本出願人による特許出願に記載されており、モジュールを鉛直方向に隣接したモジュールに連結するのに用いられる。
【００４６】
柱４４の下端において、支持脚部６１の代わりに、図１７ｂに示すようなハーフグロメット固定具６９を用いてもよい。固定具６９の螺子付き端部７０は、ハウジング６０から伸張し、モジュールの基部を、適当な土台部材（図示せず）に連結するのに用いられる。
【００４７】
図１８，１９は、床の高さより低い領域での、前端および後端鼻隠セグメント１６，１７のコーナーを断面で示したものである。ハッチング領域は、ハーフグロメット固定具６９または支持脚部６１にアクセスするためのカッタウェイエリア７１を表す。図１９にはまた、カッタウェイエリア７１の下方に、後述するモジュール間コネクタ用のハウジング７２が点線で示されている。図の下部水平バー４７およびタイバー４０は、図１１に示すボルト構成と比較して僅かに異なるボルト構成で、コーナ部材４８の第１のコネクタ部分４９に連結されている。
【００４８】
図２０，２１は、天井の高さでのエンドフレーム４２の連結を示している。ここでもまた、図２０ではモジュール間連結ハウジング７２を点線で示す。上部水平バー４６およびタイバー４０の、コーナ部材４８の第２の連結部分４９に対する連結もまた、図１１に示すのと僅かに異なる構成を有する。
【００４９】
図１８，２０の点線７３は、上壁および下壁２１，２２の縁内に設けられ且つ該縁に沿った細長い溝を表す。この溝７３は、図２２，２３の全体モジュール構造に関連して、より明確に示されている。溝は、図に示すように、側壁２３の４つの縁と前端および後端セグメントの縁とに沿って伸張するとともに、フレキシブル弾性材料、典型的にＥＰＤＭからなる（図２５ａ，２５ｂに示す）細長いフィレットストリップ７４を収容するようになっている。ストリップ７４は、溝の外形および溝７３の両側の壁に相補的な外形をした表面を有する。ストリップ７４は、溝内に接合され、隣接するモジュールの相対的な移動を制限する。ストリップの弾性特性により、初期の建設の際およびその後の設置、沈下、熱膨張・収縮、地面の震動からの衝撃吸収の際などにおいて、隣接するモジュール同士の小さなミスアライメントを許容する。ストリップ７４は、モジュール間でのノイズ、震動および熱（例えば火事で生じる熱）の移動を制限する断熱・遮音材として機能する。最後に、ストリップ７４は、モジュール間の小さな隙間に表面水が浸透するのを防ぐシールとしても機能する。
【００５０】
図２４に示すように、リフティングフレーム４１の柱４４の頂端は、モジュールの上壁２１の外面に露出している。
【００５１】
図２５ａ，２５ｂには、隣接するモジュール１０，１１の相互連結が示されている。モジュール間の固定は、本出願人による特許出願に記載された種類のグロメット固定具７５である。フレキシブルグロメット７６は、隣接するモジュールの側壁２３のグロメットハウジング７２内に収容され、これらの壁は、開口部を囲む凹部７７に収容されるカラー７６により、ハウジング７２に固定される。カラー７６（図には異なる２つのタイプが示されている。）は、対応する螺子付きボルト７８の端部に取り付けてある。ボルト７８は、グロメット７６内の対向するアキシャルアパチャ７９に螺合されている。ボルト７８は、モジュール間の連結を強固にすることができる。フィレットストリップ７４は、隣接するモジュールの溝７３内に収容され、モジュール間で挟持される。
【００５２】
モジュールの端面が他の（例えば廊下）の側壁２３に連結される場合、グロメットハウジングは、端部鼻隠の梁３１の部分３３内に収容され、（図２６に示す）２つのハーフフィレットストリップ８０が用いられる。ハーフフィレットストリップ８０は、平坦側部８０ａと、上述したフルフィレットストリップ８０の外形に対応する外形を有する側部８０ｂとを有する。２つのハーフフィレットストリップ８０の平坦側部８０ａは、他のモジュールの端壁溝７３と係合するような位置で、一方のモジュールの側壁２３に接合される。フルフィレットストリップ７４は、続いて、いずれかのモジュールの頂部および底部溝７３内に配置され、これにより、２つのモジュールが位置決めされるとフィレット７４で密閉される。モジュールは続いて、上部および下部グロメット固定具７５に固定される。
【００５３】
鉛直方向に積載したモジュールは、（図２７に示す）フィレットパッド８１により分離される。フィレッドパッド８１は、上側モジュールの下縁に接合され、他のフィレットストリップ７４，８０と同様な機能を有する。
【００５４】
収容モジュールの同一基本構造を用いて、図２８に示すような階段吹き抜け９０を形成することができる。鉛直方向に積載した３つのモジュールは、内側の階段構造９１を収容するために、階段吹き抜け部分およびモジュールの連結用（上および／または下）壁が取り外される。
【００５５】
図２９は、本発明に係る構造を有するホテルのレイアウトの一実施形態を示す。ホテルは、相互連結された個々のモジュールを備えたメインエリアを有する。各モジュールは、内部に取り付けられて、オフィス１０１、階段室１０２、受付１０３、ラウンジ１０４、およびサービスモジュール１０５を形成する。ラウンジ１０４は、廊下モジュール１０６に連結されている。廊下モジュール１０６の両側には、複数の収容モジュール１０７が取り付けてある。
【００５６】
サービスモジュール１０５は、温水を水道管１１１を介して各収容モジュール１０７に供給するためのホットボイラ１１０と、電気用スイッチギア１１２をと収容する。水道管１１１は、（床下あるいは天井を通って）廊下モジュール１０６を横切り、各収容モジュール１０７のバスルームユニット１１３に供給される。ボイラ１１０はまた、セントラルヒーティングシステムを提供する。関連する導管１１４は、ボイラ１１０からサービスモジュール１０５の側壁ポート２７を介して横方向に出て、隣接する収容モジュール１０８内に入り、側壁ポート２７を介して床１２の下方に到る。導管１１４は、上記モジュール内のラジエータ１１５に接続し、側壁ポート２７，３４および／または梁内のポート２８，２９，３１，３２，３３を介して、図示するように、連続する各モジュール内のラジエータ１１５に達し、最後にボイラ１１０に戻る。
【００５７】
各モジュールは同様に、排泄管１２１を備えた外部の排泄物廃棄システム１２０に取り付けられている。排泄管１２１は、各モジュールのバスルームの設備からモジュールの床１２の下を横方向に伸び、これにより、モジュール外部のメイン排泄物廃棄システムに接続する。
【００５８】
モジュールをセグメント化したことで、異なるサイズのモジュールを建てることができることは理解されるものと考えられる。図３０には、モータウェイホテルすなわちモーテル用の他のレイアウトが示されている。１階および２階は分けて示してある。各階は中央構造２００を有し、その両側には収容モジュール２０１が配置されている。廊下２０２は、中央構造２００と、両側にある収容モジュール２０１との間の連絡を行っている。このビルディング構成は、記号表で示すように、異なる６つのモジュール配置から建てられている。１で表すタイプのモジュールが６４個あり、これらは、内部のフィッティングや端壁が異なることを除いて同一である。２で表すタイプのモジュールが２つあり、これらは、１階の受付エリア２０５およびその直ぐ上の洗濯室／売店２０６の一部をなす。中央構造２００を完成させるための３で表すモジュールが２つ、４で表す階段モジュールが２つ、１６個の廊下モジュール、そのうち５で表すタイプが８つ、６で表すタイプが８つである。
【００５９】
ホテルモジュールを例にとって本発明の態様を説明したが、本発明は、例えばオフィス、レジャー、小売、工業コンプレックス、あるいは他の収容形態など、他のビルディング構造に適用できることは理解されるものと考えられる。
【００６０】
補強梁を備えた開端のボックス構造は、通常、非常に用途が広く、ビルディングモジュールが頑丈である。
【００６１】
開端ボックス構成は、多種の方法（例えば、エンドツーエンド、エンドツーサイド）で他のモジュールに連結でき、特定の用途に合わせて適当な端壁を収容できる点で、用途が広い。
【００６２】
補強梁は、ボックス構造のラッキングや他の変形に対し剛性を与え、補強梁を用いて床および／または天井構造を支持するのが好都合である。
【００６３】
構造体をセグメント化した構成は、モジュールを所望の長さに組み立てることができる点で、用途が広い。さらに、そのような構成は、成形による製造が容易である。
【００６４】
異なる用途に合うよう、種々のサイズのセグメントを製造してもよい。奥行きを変更するのに加えて、相対長さ、壁厚、セグメントの幅を変更してもよい。
【００６５】
側壁と梁に規則的な間隔でポートを設けることで、製品のモジュラ・フレキシブル性を高めることができる。側壁ポートにより、任意の方向からサービス設備を供給できる。これは、サービス設備が各ビルディングモジュールの端面を介して供給されるようサービス設備を廊下に沿って設けた本出願人による特許出願に記載の構成とは対照的である。本発明の構成では、供給用廊下モジュールが不要である。
【００６６】
添付の請求項で定義された本発明の範囲から外れることなく記載の実施形態に対し多数の実施形態が想到できることは理解されるべきである。例えば、エンドフレームは、少なくとも各エンドセグメント上に設けるのが好ましいが、モジュールが短い場合、リフティングフレームのエンドフレームセクションは、一つのセグメントにのみ設けてもよい。別の実施形態では、リフティングフレームは完全になくしてもよい。
【図面の簡単な説明】
【図１】本発明の具体的実施形態である典型的なモジュラビルディングを示す概略斜視図。
【図２】本発明に係る廊下・収容ビルディングモジュールの相互連結を示す概略的な部分分解斜視図。
【図３】本発明に係るビルディングモジュールの概略斜視図であって、僅かに分解させた構成を示す。
【図４】図３のビルディングモジュールを示す側面断面図であって、端壁をモジュールの残り部分と離間して示す。
【図５】図４のモジュールの断面平面図。
【図６】図３，４のモジュールの中心点を通る断面図。
【図７】図３〜５のモジュールの中間セグメントの前方を示す斜視図。
【図８】図７の中間セグメントの後方斜視図。
【図９】図３〜５のモジュールの前端鼻隠セグメントを示す前方斜視図。
【図１０】図９の前端鼻隠セグメントを示す後方斜視図。
【図１１】本発明に係るビルディングモジュールのリフティングフレームを示す前方斜視図。
【図１２】図３〜５のビルディングモジュールの概略的な側面断面図であって、図１１のリフティングフレームと嵌合した状態を示す。
【図１３】図１２のモジュールの断面平面図。
【図１４】図１３のモジュールの端面図。
【図１５】図１１のリフティングフレームの柱を示す等角斜視図。
【図１６】（ａ）、（ｂ）は、図１５の柱の上部を示す部分断面図であって、交換可能なコネクタを示す。
【図１７】（ａ）（ｂ）は、図１５の柱の下部を示す部分断面図であって、交換可能な脚部およびコネクタを示す。
【図１８】床下での図１２のビルディングモジュールのコーナーの断面平面図。
【図１９】図１８に示すコーナーの正面断面図。
【図２０】天井の高さでの図１２のビルディングモジュールのコーナーの断面平面図。
【図２１】図２０に示すコーナーの正面断面図。
【図２２】図３〜５，１２のビルディングモジュールの側面図であって、フィレッティング溝を示す。
【図２３】図３〜５，１２のビルディングモジュールの端面図であって、フィレッティング溝を示す。
【図２４】図２２，２３のモジュールの平面図であって、リフティングフレームの頂部を示す。
【図２５】（ａ），（ｂ）は、本発明に係る２つのモジュールの一部を示す側面断面図であって、隣接するモジュール間の連結を示す。
【図２６】本発明に係るビルディングモジュールの相互連結に用いるハーフフィレットの断面端面図。
【図２７】鉛直方向に積載される本発明に係るビルディングモジュールの相互連結に用いるフィレットパッドの断面端面図。
【図２８】階段吹き抜けビルディングモジュールの斜視図。
【図２９】別のビルディング構造体の平面図。
【図３０】さらに別のビルディング構造体の平面図。
【図２９】
2004507633.tif 000003
【図３０】
2004507633.tif 000004
【国際公開パンフレット】
2004507633.tif 000005
2004507633.tif 000006
2004507633.tif 000007
2004507633.tif 000008
2004507633.tif 000009
2004507633.tif 000010
2004507633.tif 000011
2004507633.tif 000012
2004507633.tif 000013
2004507633.tif 000014
2004507633.tif 000015
2004507633.tif 000016
2004507633.tif 000017
2004507633.tif 000018
2004507633.tif 000019
2004507633.tif 000020
2004507633.tif 000021
2004507633.tif 000022
2004507633.tif 000023
2004507633.tif 000024
2004507633.tif 000025
2004507633.tif 000026
2004507633.tif 000027
2004507633.tif 000028
2004507633.tif 000029
2004507633.tif 000030
2004507633.tif 000031
2004507633.tif 000032
2004507633.tif 000033
2004507633.tif 000034
2004507633.tif 000035
2004507633.tif 000036
2004507633.tif 000037
2004507633.tif 000038
2004507633.tif 000039
2004507633.tif 000040
2004507633.tif 000041
2004507633.tif 000042
2004507633.tif 000043
【国際調査報告】
2004507633.tif 000044
2004507633.tif 000045
2004507633.tif 000046
2004507633.tif 000047